(57)【要約】【課題】  伸縮性を有する生地が上下方向にも伸縮できるようにし、かつヒップを左右の山に分けてそれぞれの外形を整えるヒップアップ機能を備えたジーンズを提供する。【解決手段】  ウエストに沿って周回するベルト部13と、左右の前身頃12及び後身頃11とからなるジーンズにおいて、伸縮性を有する主裏地21及び補強裏地22からなる二重構造のストレッチ裏地２を各後身頃11の内側に配してなり、主裏地21は太腿からヒップトップラインまでの範囲でヒップに下方から宛てがわれる大きさ又は形状で、補強裏地22は太腿の付け根からにヒップアンダーラインまでの範囲でヒップに下方から宛てがわれる大きさ又は形状であるジーンズ１である。【選択図】  図１
2006188798.tif 000002
【特許請求の範囲】
【請求項１】
ウエストに沿って周回するベルト部と、左右の前身頃及び後身頃とからなり、後身頃相互は股間部からベルト部に向けて延びる中央縫着線で縫着し、前身頃及び後身頃は股間部から下方へ延びる内脇縫着線とベルト部から下方へ延びる外脇縫着線とでそれぞれ縫着し、前身頃及び後身頃はそれぞれベルト部に周回縫着線で縫着したジーンズにおいて、伸縮性を有する主裏地及び補強裏地からなる二重構造のストレッチ裏地を各後身頃の内側に配してなり、主裏地は太腿からヒップトップラインまでの範囲でヒップに下方から宛てがわれる大きさ又は形状で、補強裏地は太腿の付け根からにヒップアンダーラインまでの範囲でヒップに下方から宛てがわれる大きさ又は形状であることことを特徴とするジーンズ。
【請求項２】
ストレッチ裏地は、周回縫着線と交差する中央縫着線上端から周回縫着線と交差する外脇縫着線上端へヒップトップラインに倣う深いＵ字状の主裏地上縁と、内脇縫着線から外脇縫着線へ延びる略直線状の主裏地下縁と、中央縫着線から内脇縫着線に沿った主裏地内縁と、そして外脇縫着線に沿った主裏地外縁とに囲まれた主裏地と、中央縫着線から外脇縫着線へヒップアンダーラインに倣う略直線状の補強裏地上縁と、内脇縫着線から外脇縫着線にわたる略直線状の補強裏地下縁と、中央縫着線から内脇縫着線に沿った補強裏地内縁と、そして外脇縫着線に沿った補強裏地外縁とに囲まれた補強裏地とからなり、内側裏地及び補強裏地は、主裏地上縁、主裏地下縁、補強裏地上縁及び補強裏地下縁をそれぞれ自由状態とし、主裏地内縁及び補強裏地内縁を合わせて中央縫着線から内脇縫着線で後身頃に縫着し、主裏地外縁及び補強裏地外縁を合わせて外脇縫着線で縫着する請求項１記載のジーンズ。
【請求項３】
ストレッチ裏地は、相対的に伸縮性の低い主裏地と、相対的に伸縮性の高い補強裏地とからなる二重構造である請求項１又は２いずれか記載のジーンズ。
【請求項４】
主裏地は、上下方向に発揮される伸縮性が左右方向に発揮される伸縮性より相対的に大きい請求項１〜３いずれか記載のジーンズ。
【請求項５】
主裏地は、上下方向かつ中央縫着線に向けて傾いた方向に発揮される伸縮性が左右方向に発揮される伸縮性より相対的に大きい請求項１〜３いずれか記載のジーンズ。
【請求項６】
主裏地は、主裏地内縁及び主裏地外縁の幅を、各裏身頃の中央縫着線及び脇縫着線の幅より短くしてなり、主裏地内縁は中央縫着線から内脇縫着線で、主裏地外縁は外脇縫着線でそれぞれ後身頃に縫着することにより幅方向に伸長し、緊張状態にして後身頃の内側に配した請求項１〜３いずれか記載のジーンズ。
【請求項７】
補強裏地は、上下方向に発揮される伸縮性が左右方向に発揮される伸縮性より相対的に大きい請求項１〜３いずれか記載のジーンズ。
【請求項８】
補強裏地は、上下方向かつ中央縫着線に向けて傾いた方向に発揮される伸縮性が左右方向に発揮される伸縮性より相対的に大きい請求項１〜３いずれか記載のジーンズ。
【請求項９】
補強裏地は、補強裏地内縁及び補強裏地外縁の幅を、各裏身頃の中央縫着線及び脇縫着線の幅より短くしてなり、補強裏地内縁は中央縫着線から内脇縫着線で、補強裏地外縁は外脇縫着線でそれぞれ後身頃に縫着することにより幅方向に伸長し、緊張状態にして後身頃の内側に配した請求項１〜３いずれか記載のジーンズ。
【発明の詳細な説明】
【技術分野】
【０００１】
本発明は、ヒップアップ機能を備えたジーンズ（デニム生地による下衣）に関する。
【背景技術】
【０００２】
近年、ジーンズ着用時におけるヒップの外観や、脚を奇麗に見せる観点から、ヒップアップ機能が求められるようになってきている。ここで、ヒップアップ機能とは、ヒップを全体として持ち上げる狭義のヒップアップ機能のほか、持ち上げたヒップの外形や太腿の付け根を際立たせるヒップ整形機能とからなる。こうしたヒップアップ機能は、伸縮性を有する生地からストレッチ裏地を構成し、着用によって伸長するストレッチ生地が縮もうとする働きを利用することで実現できる。
【０００３】
例えば特許文献１は、伸縮性を有する生地（伸縮性織編布地）をＶ字状の左右帯体に形成し、この左右帯体の中央交差線の谷底を内股上方箇所でヒップトップライン（ヒップで最も盛り上がるライン＝ヒップの稜線）と同等若しくはそれより下方に配置して、この帯体の左右側端縁を左右身頃地の脇線及び又はウエストラインに縫着している。この特許文献１では、伸縮性を有する生地の上縁がヒップトップラインより下方になることで、ヒップを持ち上げる狭義のヒップアップ機能を実現している。
【０００４】
【特許文献１】特開2003−268606号公報（２頁〜４頁、図２）
【発明の開示】
【発明が解決しようとする課題】
【０００５】
特許文献１が提示するＶ字状の左右帯体は、確かにヒップを持ち上げる狭義のヒップアップ機能を有すると思われるが、ヒップに接面する帯体が狭幅であるため、ヒップ整形機能は不十分と考えられる。この点、特許文献１が例示するスラックスでは、ヒップ整形機能が特に重要ではないため、問題にはならない。しかし、ジーンズにおいては、ヒップの外形だけでなく、太腿の付け根がクッキリすることで審美性を高められることから、ヒップ整形機能は重要である。これから、特許文献１が提示するＶ字状の左右帯体をそのままジーンズに適用できないことが分かる。そこで、ジーンズをはじめとするカジュアルな下衣を対象として、狭義のヒップアップ機能とヒップ整形機能とを兼ね備えたストレッチ裏地を開発するため、検討した。
【課題を解決するための手段】
【０００６】
検討の結果開発したものが、ウエストに沿って周回するベルト部と、左右の前身頃及び後身頃とからなり、後身頃相互は股間部からベルト部に向けて延びる中央縫着線で縫着し、前身頃及び後身頃は股間部から下方へ延びる内脇縫着線とベルト部から下方へ延びる外脇縫着線とでそれぞれ縫着し、前身頃及び後身頃はそれぞれベルト部に周回縫着線で縫着したジーンズにおいて、伸縮性を有する主裏地及び補強裏地からなる二重構造のストレッチ裏地を各後身頃の内側に配してなり、主裏地は太腿からヒップトップラインまでの範囲でヒップに下方から宛てがわれる大きさ又は形状で、補強裏地は太腿の付け根からヒップアンダーラインまでの範囲でヒップに下方から宛てがわれる大きさ又は形状であるジーンズである。
【０００７】
本発明のジーンズは、ヒップトップラインから上を除くヒップの大部分を覆う大きさ又は形状のストレッチ裏地を用いており、伸縮性を補う意味から、二重構造のストレッチ裏地としている。そして、この二重構造のストレッチ裏地は、太腿からヒップトップラインまでの範囲でヒップに下方から宛てがわれる大きさ又は形状の主裏地により、主にヒップ整形機能を実現し、太腿の付け根からヒップアンダーラインまでの範囲でヒップに下方から宛てがわれる大きさ又は形状の補強裏地により、主に狭義のヒップアップ機能を実現する。そして、各後身頃毎に個別のストレッチ裏地を配することで、ヒップの左右の山毎に狭義のヒップアップ機能とヒップ整形機能が働くため、持ち上げたヒップの審美性に優れた立体感を実現できる。
【０００８】
具体的なストレッチ裏地は、周回縫着線と交差する中央縫着線上端から周回縫着線と交差する外脇縫着線上端へヒップトップラインに倣う深いＵ字状の主裏地上縁と、内脇縫着線から外脇縫着線へ延びる略直線状の主裏地下縁と、中央縫着線から内脇縫着線に沿った主裏地内縁と、そして外脇縫着線に沿った主裏地外縁とに囲まれた主裏地と、中央縫着線から外脇縫着線へヒップトップラインに倣う略直線状の補強裏地上縁と、内脇縫着線から外脇縫着線にわたる略直線状の補強裏地下縁と、中央縫着線から内脇縫着線に沿った補強裏地内縁と、そして外脇縫着線に沿った補強裏地外縁とに囲まれた補強裏地はとからなり、内側裏地及び補強裏地は、主裏地上縁、主裏地下縁、補強裏地上縁及び補強裏地下縁をそれぞれ自由状態とし、主裏地内縁及び補強裏地内縁を合わせて中央縫着線から内脇縫着線で後身頃に縫着し、主裏地外縁及び補強裏地外縁を合わせて外脇縫着線で縫着して構成する。
【０００９】
ここで、「主裏地」及び「補強裏地」は、それぞれの働きにより、便宜上区別した名称であり、着用者から見ていずれが内面又は外面になっても構わないが、主裏地に比べて小さくなる補強裏地を隠すため、着用者から見て主裏地を内面、補強裏地を外面にするとよい。また、上述のような主裏地及び補強裏地の主な機能の相違から、ストレッチ裏地は相対的に伸縮性の低い主裏地と、相対的に伸縮性の高い補強裏地とからなる二重構造にするとよい。この場合、伸縮性が高く、主裏地に比べて小さくなる補強裏地が着用者から見て内面になると、補強裏地の上縁又は下縁がヒップに筋をつける可能性があるため、やはり着用者から見て主裏地を内面、補強裏地を外面にするとよい。
【００１０】
具体的な主裏地は、上下方向に発揮される伸縮性が左右方向に発揮される伸縮性より相対的に大きくするとよい。より好ましい主裏地は、上下方向かつ中央縫着線に向けて傾いた方向に発揮される伸縮性が左右方向に発揮される伸縮性より相対的に大きくするとよい。また、主裏地の伸縮性がよりよく発揮されるため、主裏地は主裏地内縁及び主裏地外縁の幅を、各裏身頃の中央縫着線及び脇縫着線の幅より短くし、主裏地内縁は中央縫着線から内脇縫着線で、主裏地外縁は外脇縫着線でそれぞれ後身頃に縫着することにより幅方向に伸長し、緊張状態にして後身頃の内側に配するとよい。
【００１１】
同様に、具体的な補強裏地は、上下方向に発揮される伸縮性が左右方向に発揮される伸縮性より相対的に大きくするとよく、好ましい補強裏地は、上下方向かつ中央縫着線に向けて傾いた方向に発揮される伸縮性が左右方向に発揮される伸縮性より相対的に大きくするとよい。また、補強裏地の伸縮性がよりよく発揮されるため、補強裏地は補強裏地内縁及び補強裏地外縁の幅を、各裏身頃の中央縫着線及び脇縫着線の幅より短くしてなり、補強裏地内縁は中央縫着線から内脇縫着線で、補強裏地外縁は外脇縫着線でそれぞれ後身頃に縫着することにより幅方向に伸長し、緊張状態にして後身頃の内側に配するとよい。
【００１２】
特許文献１が提示するＶ字状の左右帯体は、確かにヒップを持ち上げる狭義のヒップアップ機能を有すると思われるが、ヒップに接面する帯体が狭幅であるため、良好なヒップ整形機能が不十分である。この点、特許文献１が例示するスラックスでは、ヒップ整形機能が特に重要ではないため、問題にはならない。しかし、ジーンズにおいては、ヒップの外形だけでなく、太腿の付け根がクッキリすることで審美性を高められることから、ヒップ整形機能は重要である。これから、特許文献１が提示するＶ字状の左右帯体をそのままジーンズに適用することはできないことが分かる。そこで、ジーンズをはじめとするカジュアルな下衣を対象として、狭義のヒップアップ機能とヒップ整形機能とを兼ね備えたストレッチ裏地を開発するため、検討した。
【発明の効果】
【００１３】
本発明により、狭義のヒップアップ機能に加え、ヒップ整形機能を十分発揮するジーンズを提供できるようになる。これは、ヒップトップラインから上を除くヒップの大部分を覆う大きさ又は形状で、二重構造のストレッチ裏地を用いたことによる効果である。狭義のヒップアップ機能は、前記ストレッチ裏地において、主として、太腿の付け根からヒップアンダーラインまでの範囲でヒップに下方から宛てがわれる大きさ又は形状の補強裏地による効果である。また、各後身頃毎に個別のストレッチ裏地を配することで、ヒップの左右の山毎に前記狭義のヒップアップ機能が働くため、持ち上げたヒップの審美性に優れた立体感を実現するヒップ整形機能の効果を得ることができる。
【発明を実施するための最良の形態】
【００１４】
以下、本発明の実施形態について図を参照しながら説明する。図１はジーンズ１の右の後身頃11にストレッチ裏地２を縫着した状態を表した正面図、図２はジーンズ１の右の後身頃11に対するストレッチ裏地２の形状及び大きさを表した正面図、図３はストレッチ裏地２を縫着したジーンズ１の着用状態を表した斜視図である。図１では、後身頃11のヒップ相当付近に設けるポケット111（図３参照）を、外形縫着線のみで表している。
【００１５】
本例のジーンズ１は、図１に見られるように、左右の各後身頃11のヒップ下方から宛てがわれるストレッチ裏地２をそれぞれ配している。本例のストレッチ裏地２は、図２に見られるように、主裏地21及び補強裏地22を重ね合わせた二重構造で、主裏地21及び補強裏地22共に、主として上下方向かつ中央縫着線142に向けて傾いた方向に伸縮性（図１及び図２中斜め実線参照）を有する生地から裁断している。
【００１６】
主裏地21は、ベルト部13の周回縫着線141と交差する中央縫着線142上端から周回縫着線141と交差する外脇縫着線143上端へヒップトップラインに倣う深いＵ字状の主裏地上縁211と、内脇縫着線144から外脇縫着線143へ延びる略直線状の主裏地下縁212と、中央縫着線142から内脇縫着線144に沿った主裏地内縁213と、そして外脇縫着線143に沿った主裏地外縁214とに囲まれた外形状である。また、本例の主裏地21は、主裏地下縁212が太腿にかかる付近に位置しており、太腿を締付けてシェイプアップする働きも発揮する（図３参照）。
【００１７】
補強裏地22は、中央縫着線142から外脇縫着線143へヒップトップラインに倣う略直線状の補強裏地上縁221と、内脇縫着線144から外脇縫着線143にわたる略直線状の補強裏地下縁222と、中央縫着線142から内脇縫着線144に沿った補強裏地内縁223と、そして外脇縫着線143に沿った補強裏地外縁224とに囲まれた外形状である。また、本例の補強裏地22は、着用者によって異なるが、補強裏地下縁222が太腿の付け根と略一致又は近接する位置にあり、特に太腿の付け根をクッキリさせる働きも発揮する（図３参照）。
【００１８】
本例のストレッチ裏地２を構成する主裏地21及び補強裏地22は、それぞれ１枚生地として図示しているが、実際にはヒップに倣って湾曲していることが好ましいため、立体裁断又は複数の生地を縫い合わせて１枚の主裏地21又は補強裏地22を構成するとよい。
【００１９】
主裏地21及び補強裏地22を構成する生地は、伸縮性を有する縦糸又は横糸で編成した生地を用いることができる。この場合、補強裏地22の伸縮性を相対的に主裏地21に比べて強くするには、補強裏地22を構成する生地の縦糸の伸縮性を高めておくとよい。これにより、特に補強裏地22を主裏地21に重ね合わせた部分は、伸縮性をよりよく発揮することができる。主裏地21に対して補強裏地22を重ね合わせる部分は、ストレッチ裏地２として耐久性が要求される部分であり、補強裏地22は主裏地21を補強する意味合いを有するが、本発明では更にヒップを持ち上げる狭義のヒップアップ機能を実現する働きを有する。
【００２０】
主裏地21及び補強裏地22は、伸縮性を有する縦糸又は横糸で編成した生地を用いて構成することで、生地を編成する縦糸及び横糸それぞれの伸縮性を異ならせたり、別途伸縮性を有する生地又は糸を内蔵又は縫着させて、伸縮性を方向付けることができる。この場合、補強裏地22が主裏地21を補強する意味合いからは、主裏地21及び補強裏地22の伸縮性の方向を一致させておくことが望ましい。しかし、両者は別体であり、後身頃に縫着することで一体となるから、それぞれの伸縮性の方向を異ならせることもできる。
【００２１】
本例の主裏地21は、後身頃11の外形に対し、図１及び図２に見られるように、下方に行くに従って、主裏地内縁213と主裏地外縁214とを結ぶ距離を、中央縫着線142又は内脇縫着線144と外脇縫着線143とを結ぶ距離より徐変に短くしている。これにより、本例の主裏地21は、中央縫着線142及び内脇縫着線144により主裏地内縁213を、外脇縫着線143により主裏地外縁214を後身頃11に縫着することにより、主裏地内縁213又は主裏地外縁214とヒップトップラインに倣った主裏地上縁211とを結ぶ２方向に緊張（図１中白抜き矢印参照）を与えることができる。
【００２２】
同様に、補強裏地22は、下方に行くに従って、補強裏地内縁223と補強裏地外縁224とを結ぶ距離を、中央縫着線142又は内脇縫着線144と外脇縫着線143とを結ぶ距離より徐変に短くしている。これにより、本例の補強裏地22は、中央縫着線142及び内脇縫着線144により補強裏地内縁223を、外脇縫着線143により補強裏地外縁224を後身頃11に縫着することにより、補強裏地内縁223又は補強裏地外縁224とヒップトップラインに倣った補強裏地上縁221とを結ぶ２方向に緊張（図１中白抜き矢印参照）を与えることができる。こうした主裏地21及び補強裏地22に予め与えられる緊張は、ストレッチ裏地２をヒップに密着させる働きを有している。
【００２３】
ストレッチ裏地２は、ポケット111と無関係に後身頃11へ縫着する。これにより、ストレッチ裏地２は特にポケット111付近でかさ張ることがなく、主裏地上縁211及び補強裏地上縁221がそれぞれ自由状態に保たれるため、ヒップトップラインを締め付ける虞れがなくなっている。すなわち、本例のジーンズ１が着用されると、図３に見られるように、後身頃11と共にストレッチ裏地２はヒップに倣って変形し、かつヒップに押し広げられることにより伸長して復元力を発生させ、この復元力によりヒップアップ機能を発揮させる。
【００２４】
本発明のストレッチ裏地２は、主裏地21及び補強裏地22を重ね合わせることにより、ヒップの押圧に負けない強い伸縮性を発揮する。更に、主裏地21は、周回縫着線141に達する主裏地内縁213の上端を内端とし、同じく周回縫着線141に達する主裏地外縁214を外端として吊り下げられるＵ字状の主裏地上縁211により、両端を吊り上げるようにして上下方向に伸長するので、前記伸縮性を余すところなくヒップの持ち上げに利用でき、良好な狭義のヒップアップ機能を発揮させることができる。
【００２５】
また、主裏地上縁211の両端を吊り上げることにより、ストレッチ裏地２の主裏地21に予め与えておいた主裏地内縁213又は主裏地外縁214と主裏地上縁211とを結ぶ２方向の復元力は、ヒップを左右の山に分け、それぞれの山を中央、本例で言えばポケット111付近を中心としてヒップを寄せ集めるヒップ整形機能を発揮させることができる。これは、狭義のヒップアップ機能については補強裏地22が必要な伸縮性を補うため、ヒップを広く覆う主裏地21自身の伸縮性がヒップ整形機能に働くことの効果による。
【図面の簡単な説明】
【００２６】
【図１】ジーンズの右の後身頃にストレッチ裏地を縫着した状態を表した正面図である。
【図２】ジーンズの右の後身頃に対するストレッチ裏地の形状及び大きさを表した正面図である。
【図３】ストレッチ裏地を縫着したジーンズの着用状態を表した斜視図である。
【符号の説明】
【００２７】
１  ジーンズ
11  後身頃
12  前身頃
13  ベルト部
141  周回縫着線
142  中央縫着線
143  外脇縫着線
144  内脇縫着線
２  ストレッチ裏地
21  主裏地
211  上縁
212  下縁
213  内縁
214  外縁
22  補強裏地
221  上縁
222  下縁
223  内縁
224  外縁
【図１】
2006188798.tif 000003
【図２】
2006188798.tif 000004
【図３】
2006188798.tif 000005